(57)【特許請求の範囲】
【請求項１】
昆虫類の侵入を防止するべき区画内に床面を伝って出入口から侵入しようとする昆虫類を捕獲してその侵入を防止するための昆虫類侵入防止装置であって、
捕獲対象の昆虫類を吸引可能なスリット部と、該スリット部の下部に一体に接続されたチャンバ部とからなる捕獲機構を、前記区画の出入口の外側または内側もしくはその双方の床面に全幅にわたって埋設して前記スリット部の上部を吸込口として床面に開口させるとともに、前記チャンバ部に吸込ブロワを接続してなり、
該吸込ブロワによって前記スリット部および前記チャンバ部を通して床面近傍の空気を吸引することによって、その吸引空気流によって床面を伝う昆虫類を吸い込んで捕獲する構成としたことを特徴とする昆虫類侵入防止装置。
【請求項２】
請求項１記載の昆虫類侵入防止装置であって、
スリット部の上部に両側に延出する鍔部を折り返して形成するとともに、その折り返し部を滑らかな湾曲面として形成することによって、吸込口をベルマウス形状としてなることを特徴とする昆虫類侵入防止装置。
【請求項３】
請求項１または２記載の昆虫類侵入防止装置であって、
チャンバ部に水勾配を設けて、該チャンバ部の水下側に水抜管を接続し、該水抜管の先端部を封水機構を介して排水ピットに接続してなることを特徴とする昆虫類侵入防止装置。
【請求項４】
請求項３記載の昆虫類侵入防止装置であって、
チャンバ部に捕獲した昆虫類を捕捉可能かつ排水ピット内から保守可能なフィルタを水抜管の先端部に設けてなることを特徴とする昆虫類侵入防止装置。
【請求項５】
請求項１〜４のいずれかに記載の昆虫類侵入防止装置であって、
捕獲機構に洗浄水や消毒液等の薬液を供給して清浄化するための洗浄機構を具備してなることを特徴とする昆虫類侵入防止装置。
【発明の詳細な説明】
【技術分野】
【０００１】
本発明は清浄を維持するべき区画内への昆虫類の侵入を防止するための装置、特に床面を伝って出入口から区画内に侵入しようとする昆虫類を確実に捕獲してその侵入を有効に防止可能な装置に関する。
【背景技術】
【０００２】
周知のように、たとえば医薬品や食品を取り扱う各種の建物では高度の清浄度を維持しなければならず、当然に、清浄を維持するべき区画内への昆虫類の侵入を確実に防止する必要がある。
そのため、たとえば特許文献１や特許文献２に示されているように、この種の建物の出入口にはエアカーテンやエアシャワー等の昆虫類侵入防止装置を設けることが従来一般的である。
【特許文献１】特開平８−１７３００８号公報
【特許文献２】特開２００３−１６１４８９号公報
【発明の開示】
【発明が解決しようとする課題】
【０００３】
ところで、エアカーテンやエアシャワー等の昆虫類侵入防止装置では、出入口に向かって飛び込んでくる昆虫類や、出入口を通過する人や物品に付着している昆虫類の侵入はほぼ防止できるが、床面を伝ってくる昆虫類の侵入は必ずしも充分に防止できないものである。
すなわち、この種の装置は充分な流速、風量の気流によって昆虫類を吹き飛ばすことでその侵入を防止するのであるが、通常は床面付近では流速が大きく低下してしまうことが不可避であるし、特に床と壁との交差部である入隅部では気流の届かないデッドゾーンが生じてしまうこともあり、したがって床面にしっかりとしがみつきつつ這い込んでくる昆虫類（たとえばダンゴムシ、ワラジムシ、クロアリ、チャバネゴキブリ、クロゴキブリなど）の侵入を必ずしも万全には防止できない場合もある。
【０００４】
上記事情に鑑み、本発明は、床面を伝ってくる昆虫類の侵入を確実に防止することのできる有効適切な装置を提供することを目的としている。
【課題を解決するための手段】
【０００５】
請求項１記載の発明は、昆虫類の侵入を防止するべき区画内に床面を伝って出入口から侵入しようとする昆虫類を捕獲してその侵入を防止するための昆虫類侵入防止装置であって、捕獲対象の昆虫類を吸引可能なスリット部と、該スリット部の下部に一体に接続されたチャンバ部とからなる捕獲機構を、前記区画の出入口の外側または内側もしくはその双方の床面に全幅にわたって埋設して前記スリット部の上部を吸込口として床面に開口させるとともに、前記チャンバ部に吸込ブロワを接続してなり、該吸込ブロワによって前記スリット部および前記チャンバ部を通して床面近傍の空気を吸引することによって、その吸引空気流によって床面を伝う昆虫類を吸い込んで捕獲する構成としたことを特徴とする。
【０００６】
請求項２記載の発明は、請求項１記載の発明の昆虫類侵入防止装置であって、スリット部の上部に両側に延出する鍔部を折り返して形成するとともに、その折り返し部を滑らかな湾曲面として形成することによって、吸込口をベルマウス形状としたことを特徴とする。
【０００７】
請求項３記載の発明は、請求項１または２記載の発明の昆虫類侵入防止装置であって、  チャンバ部に水勾配を設けて、該チャンバ部の水下側に水抜管を接続し、該水抜管の先端部を封水機構を介して排水ピットに接続してなることを特徴とする。
【０００８】
請求項４記載の発明は、請求項３記載の発明の昆虫類侵入防止装置であって、チャンバ部に捕獲した昆虫類を捕捉可能かつ排水ピット内から保守可能なフィルタを水抜管の先端部に設けてなることを特徴とする。
【０００９】
請求項５記載の発明は、請求項１〜４のいずれかに記載の発明の昆虫類侵入防止装置であって、捕獲機構に洗浄水や消毒液等の薬液を供給して清浄化するための洗浄機構を具備してなることを特徴とする。
【発明の効果】
【００１０】
本発明の昆虫類侵入防止装置によれば、床面を伝ってくる昆虫類を出入口の直前または直後もしくはその双方で吸込口に吸い込んで捕獲することにより、その侵入を確実に防止することができる。したがって本発明の昆虫類侵入防止装置を、たとえばエアカーテンやエアシャワー等の他の昆虫類侵入防止装置と併用することにより、それら従来の装置の弱点であった床面を伝っての昆虫類の侵入防止を充分に補完して万全の侵入防止を実現することができる。
【００１１】
特に、床面に開口させる吸込口をベルマウス形状とすることにより、昆虫類を吸い込むに必要な充分かつ好ましい吸引空気流を確実に形成できるし、吸込口の両側に滑らかな鍔部を湾曲面として形成することでそこへの昆虫類のしがみつきも防止できてより効果的である。
また、チャンバ部を水勾配を設けて設置してその水下側に水抜管と排水ピットを設けることにより、捕獲機構からの水抜きを支障なく行うことができるし、水抜管を封水機構を介して排水ピットに接続することで衛生的な問題もなく、昆虫類を捕捉するために設けるフィルタの保守を排水ピット内から行うことも可能となる。
また、清浄化のために洗浄水や消毒液等の薬液を供給するための洗浄機構を設けておけば、捕集機構を常に衛生的に維持することができる。
【発明を実施するための最良の形態】
【００１２】
本発明の一実施形態を図１〜図３を参照して説明する。本実施形態の昆虫類侵入防止装置Ａは、図１に示すように建物（その内部は昆虫類の侵入を防止するべき清浄な区画とされている）の出入口１の外側に設置されてこの出入口１の床面２を伝って侵入しようとする昆虫類を出入口１の手前で確実に捕獲してその侵入を防止するためのものである。
【００１３】
図１において符号３は出入口１に設けられているシャッター、４は外壁、５は柱、６は柱５の外側に設けられた袖壁であり、本実施形態の昆虫類侵入防止装置Ａは、袖壁６の先端相互間にわたってシャッター３の外側の床面２に埋設された捕獲機構１１と、その捕獲機構１１に接続された吸込ブロワ１２（図２参照）を主体として構成されている。
【００１４】
捕獲機構１１は、その横断面形状を拡大して図３に示すように、上端が吸込口１３として床面２において開口しているスリット部１４と、その下部に一体に接続されたチャンバ部１５からなる。
スリット部１４はステンレスやアルミニウム板等の金属板あるいは樹脂成形板等を素材として形成された扁平かつ横長の筒状体であって、その上端部が両側に延出するように折り返されてそこには鍔部１６が形成されているとともに、その鍔部１６を形成するために折り返された折り返し部１７は滑らかな湾曲面とされている。これにより、図３に示すようにスリット部１４の上部開口としての吸込口１３は滑らかなベルマウス形状とされて自ずと充分かつ好ましい吸引空気流１８が形成され、かつ、捕獲対象の昆虫類が吸込口１３の周辺にしがみつき難いものとされている。
チャンバ部１５はたとえば塩化ビニル管等の管材を素材とするもので、その上部がスリット状に切除されてそこに上記のスリット部１４の下部が若干差し込まれた状態で気密保持可能に一体に接続されている。
【００１５】
なお、上記の捕獲機構１１におけるスリット部１４やチャンバ部１５の寸法や形状、特に吸込口１３において確保するべき吸引空気流１８の風速や風量、吸込空気圧（捕獲機構１１内において維持するべき負圧）等の各仕様は、捕獲対象として想定する昆虫類の種類やその大きさ等を考慮して最適に設定すれば良いが、ダンゴムシ、ワラジムシ、クロアリ、チャバネゴキブリ、クロゴキブリなどを想定した場合の好適な一例を挙げれば、吸込口１３の幅は０．５ｃｍ以上かつ５ｃｍ以下とし、吸込口１３における吸引空気流１８の流速は５ｍ／ｓｅｃ以上とすることが好ましい。
また、スリット部１４の深さ（吸込口１３からチャンバ部１５までの距離）は５ｃｍ以上、吸込口１３の両側に設けている鍔部１６の幅寸法は２ｃｍ以上、吸込口１３をベルマウス形状とするための折り返し部１７の曲率半径は５ｃｍ以下、チャンバ部１５の径は１５ｃｍ程度とすることが好ましい。
【００１６】
上記の捕獲機構１１は、図１に示したように出入口１の外側の床面２において袖壁６間の全長にわたって連続的に隙間なく埋設されているが、図２に示すようにチャンバ部１５には１／１００程度の水勾配が設けられていて、その水下側（図２において右端側）には水抜管２０が接続され、水抜管２０の先端部は封水機構２１を介して排水ピット２２に接続されている。符号２３は排水ピット２２からの放流管、２４は排水ピット２２の蓋を兼ねる点検口である。
なお、図示例のものでは排水ピット２２をトラップ桝状としてその底部に封水溜まり２５を確保し、水抜管２０の先端部を下方に向けて封水溜まり２５内に水没させることで封水機構２１としてのトラップを形成しており、したがって吸込ブロワ１２によって捕獲機構１１内が負圧とされる分だけ、図２に示しているようにトラップ内の水位は周囲よりも若干上昇することになる。
また、本実施形態では、チャンバ部１５がそのまま水下側に延長されて（つまり、チャンバ部１５を構成している塩化ビニル管等の管材がそのまま水下側に延長されて）、その延長部がそのまま水抜管２０とされており、その先端部の内側には封水溜まり２５よりも上側の位置にフィルタ２６が設けられたものとなっている。フィルタ２６はチャンバ部１５に捕獲した昆虫類を捕捉して排水ピット２２への流出を防止するもので、そのフィルタ２６の清掃や保守点検は排水ピット２２内で行うことが可能とされ、そのための点検口２７が水抜管２０の上部にも設けられている。
【００１７】
一方、チャンバ部１５の水上側（図２において左端側）にはダクト３０が接続され、そのダクト３０は所望位置で床面上に立ち上げられ、その先端には上記の吸込ブロワ１２が接続されている。本実施形態ではチャンバ部１５がそのまま水上側にも延長されて（つまり、チャンバ部１５を構成している塩化ビニル管等の管材がそのまま水上側に延長されて）、その延長部がそのままダクト３０として使用されている。
そのダクト３０の途中にもフィルタ３１が設けられていて、チャンバ部１５に捕獲された昆虫類はこのフィルタ３１により捕捉されてしまって吸込ブロワ１２を通過して再放出されてしまうことはない。
また、吸込ブロワ１２にはその運転／停止を制御するための制御装置３２が付設されている。本実施形態における制御装置３２は、手動による任意の操作が可能であることに加え、予め設定した所望のタイマー制御あるいはプログラム制御によって、吸込ブロワ１２をたとえば所望の時間帯のみ間欠的に運転したり、シャッター３の開閉操作に連動させて自動的に運転する（つまり、シャッター３が開かれる際には吸込ブロワ１２が必ず運転される）ような制御が可能となっている。勿論、必要であれば吸込ブロワ１２を常時連続運転することも可能であるし、他の昆虫類侵入防止装置が並設されているような場合にはそれに連動させて運転するように制御することも考えられる。
【００１８】
さらに、本実施形態の昆虫類侵入防止装置Ａには、捕獲機構１１に対して洗浄水や消毒液等の薬液を供給してそれを清浄化するための洗浄機構４０が備えられている。本実施形態における洗浄機構４０は、洗浄水タンク４１から洗浄水を供給管４２を通してノズル４３によりダクト３０の途中に吹き付けるように構成され、その洗浄水をダクト３０からチャンバ部１５、水抜管２０内を流下させることでそれらの内面を洗い流して清浄化するものとされている。なお、洗浄水には必要に応じて消毒液等の薬液４４を混合すれば良い。洗浄機構４０により供給された洗浄水は水抜管２０から排水ピット２２に導かれ、排水ピット２２から放流管２３によって処理装置に導かれ、最終的には必要に応じて適宜の排水処理がなされた後に放流されるようになっている。
【００１９】
以上のように構成された本実施形態の昆虫類侵入防止装置Ａによれば、吸込ブロワ１２を運転すると、その吸込ブロワ１２によってチャンバ部１５およびスリット部１４を通してそのスリット部１４の上部開口としての吸込口１３から床面２近傍の空気が吸引されて吸引空気流１８が形成され、したがって吸込口１３の近傍にいる昆虫類をその吸引空気流１８によって吸い込んでチャンバ部１５に捕獲することができる。したがって、吸込ブロワ１２を運転している限りは昆虫類は吸込口１３を跨いで通過することができず、出入口１に達することができないのでそこからの侵入を確実に防止することができる。勿論、捕獲された昆虫類は吸引空気流１８に抗してまでスリット部１４を上って逃げ出すことは不可能であるし、チャンバ部１５の前後にはそれぞれフィルタ２６，３１が設けられているので排水ピット２２や吸込ブロワ１２側へも逃げ出すことができず、やがてはチャンバ部１５内において自ずと死滅してしまう。
【００２０】
特に、本実施形態の昆虫類侵入防止装置Ａでは、吸込口１３としてのスリット部１４の上部開口をベルマウス形状に加工しているので、昆虫類を吸い込むに必要な吸引空気流１８が確実かつ充分に形成され、かつ吸込口１３の両側には鍔部１６を滑らかな湾曲面として折り返した折り返し部１７を形成しているのでそこへの昆虫類のしがみつきも防止でき、それにより昆虫類をより確実に吸い込むことができるものとなっている。
【００２１】
また、吸込口１３が床面２に開口していることから、たとえば雨水の流入や床面清掃の際の洗浄水の流入も想定されるが、本実施形態の昆虫類侵入防止装置Ａではチャンバ部１５に水勾配を確保してその水下側に水抜管２０を設け、封水機構２１を介して排水ピット２２に接続しているので、自ずとかつ支障なく水抜きを行い得るし、水洗浄による清掃も容易に行うことができる。
しかも、捕獲機構１１に対して洗浄水や薬液を供給して洗浄を行うための洗浄機構４０を設けているので、その洗浄機構４０によって定期的あるいは必要に応じて洗浄作業を適宜行うことにより、捕獲機構１１内を容易にかつ確実に洗浄できて常に衛生的に維持することができるし、ゴミや異物により詰まりも防止できる。
【００２２】
以上で説明したように、本実施形態の昆虫類侵入防止装置Ａによれば、床面２を伝ってくる昆虫類の侵入を確実に防止できるものであり、したがってこれをたとえば特許文献１や特許文献２に示されるような従来一般のエアカーテンやエアシャワー等の他の昆虫類侵入防止装置と組み合わせて出入口１の外側に設置することにより、それら従来の装置の弱点であった床面２を伝っての昆虫類の侵入防止を充分に補完することが可能であり、万全の侵入防止を実現することができる。
【００２３】
以上で本発明の一実施形態を説明したが、本発明は上記実施形態に限定されるものでは勿論なく、たとえば以下に列挙するような様々な設計的変更や応用が可能である。
【００２４】
本発明の昆虫類侵入防止装置の各部の具体的な形状や寸法、仕様は、捕獲対象の昆虫類の種類やその大きさ、習性等を考慮し、また、これを設置するべき出入口の大きさや床面の仕上げやデザイン等も考慮して最適に設計すれば良い。
たとえば、上記実施形態では吸込口１３としてのスリット部１４の上部開口をベルマウス状としたが、捕獲対象の昆虫類を吸い込むに必要な充分かつ好ましい吸引空気流１８が形成できるような吸込口１３を床面２に開口させておけば良いのであり、その限りにおいて吸込口１３の形状や大きさは任意であって必ずしもベルマウス形状とすることはないし、必ずしもその両側にすべり易い折り返し部１７を形成するための鍔部１６を設けることもない。
【００２５】
上記実施形態では捕集機構１１の水上側にダクト３０を介して吸込ブロワ１２を接続する構成としたが、あるいは図４に示すように吸込ブロワ１２を水下側に接続する構成とすることも可能である。この場合、図４に示しているように水抜管２０にダクト３０を接続する構成とすれば良いが、いずれにしても排水ピット２２やフィルタ２６，３１に対する保守を行うために、たとえばダクト３０を点検口２７に対してフランジ４５により連結して適宜解体できるように構成しておくと良い。
【００２６】
上記実施形態では水抜きのためにチャンバ部１５に水勾配を確保してその水下側に水抜管２０および排水ピット２２を設けたが、チャンバ部１５に雨水等の水が流入する懸念が全くなく、また洗浄水や薬液による洗浄を考慮する必要が全くない場合、つまり特に水抜きを考慮する必要が全くない場合には、水抜管２０や排水ピット２２は省略しても差し支えない。
【００２７】
上記実施形態では捕獲した昆虫類を捕捉するためのフィルタ２６，３１を前後に設けて、それらに対する保守を排水ピット２２内で行ったり、ダクト３０を分解することで行うようにしたが、必ずしもそのように構成することはなく、フィルタ２６，３１の要否、設置位置、その保守のための構成等は適宜変更可能である。また、単なるフィルタに代えて各種の昆虫採集器のようなトラップ機構を設けることも考えられるし、さらには捕獲対象の昆虫類を誘因したり、捕獲した昆虫類を死滅させるための機構を付加することも妨げるものではない。
【００２８】
上記実施形態では洗浄機構４０を具備するものとし、その洗浄機構４０としてはチャンバ部１５の水上側に設けたノズル４３からダクト３０内に洗浄水や薬液を吹き付ける構成としたが、それに代えて、あるいはそれに加えて、スリット部１４や水抜管２０も含めて捕獲機構１１全体に洗浄水や薬液を吹き付けたり洗い流すような構成の洗浄機構とすることも考えられる。但し、洗浄作業を他の手段や他の手法で行うことを前提とするような場合には、上記実施形態のような洗浄機構４０を常備しておくことは必ずしも不可欠ではなく、省略することも可能である。
【００２９】
本発明の昆虫類侵入防止装置は、あくまで床面を伝って侵入しようとする昆虫類を捕獲してその侵入を防止するものであるので、飛翔して出入口に飛び込んでくる昆虫類や、他の経路を伝ってくる昆虫類の侵入は他の手段により防止する必要があり、したがって上述したように本発明の昆虫類侵入防止装置はエアカーテンやエアシャワー等の他の装置を補完するものとしてそれらと併用することが現実的であり、通常はそのようにすべきである。
但し、他の経路からの侵入については全く考慮する必要がなく床面からの侵入のみを考慮すれば良い場合においては、本発明の装置を単独で使用することを妨げるものではない。逆に、必要であれば本発明の装置を床面のみならず壁面や天井面にも設けることも考えられ、その場合には床面だけでなく壁面や天井面を伝ってくる昆虫類の侵入も有効に防止することができる。
【００３０】
また、エアカーテンやエアシャワー等の他の装置との組み合わせを考慮すれば、上記実施形態のように出入口の外側に設置することが好ましいが、それに代えて出入口の内側に設置したり、さらには出入口の外側と内側の双方に二重に設置することも考えられる。その場合は、仮に出入口を通過し得たとしてもその直後に捕獲されてしまって、清浄を維持するべき区画までは侵入し得ないことになる。
さらに、本発明の装置は外部から建物への出入口に設置するのみならず、建物の内部を区画してたとえばクリーンルームのような清浄化を維持するべき領域を設けるような場合には、建物内に設けられる区画への出入口に対しても同様に設けることができることは言うまでもない。
【図面の簡単な説明】
【００３１】
【図１】本発明の一実施形態である昆虫類侵入防止装置を出入口の外側に設置した状態を示す平面図である。
【図２】同装置の概略構成を示す立面図（図１におけるII−II線視図）である。
【図３】同装置における捕獲機構の拡大断面図（図２におけるIII−III線視図）である。
【図４】同装置の変形例を示す立面図である。
【符号の説明】
【００３２】
Ａ  昆虫類侵入防止装置
１  出入口
２  床面
３  シャッター
４  外壁
５  柱
６  袖壁
１１  捕獲機構
１２  吸込ブロワ
１３  吸込口
１４  スリット部
１５  チャンバ部
１６  鍔部
１７  折り返し部
１８  吸引空気流
２０  水抜管
２１  封水機構
２２  排水ピット
２３  放流管
２４  点検口
２５  封水溜まり
２６  フィルタ
２７  点検口
３０  ダクト
３１  フィルタ
３２  制御装置
４０  洗浄機構
４１  洗浄タンク
４２  供給管
４３  ノズル
４４  薬液
４５  フランジ
【図１】
0004835923.tif 000002
【図２】
0004835923.tif 000003
【図３】
0004835923.tif 000004
【図４】
0004835923.tif 000005